(57)【要約】【課題】利用者を視認することができ、しかも手足などを挟むことのない側柵を備えたベッド装置を提供することにある。【解決手段】ベッド本体の側部に長手方向に沿って側柵が設けられるベッド装置であって、側柵２５は、厚さ方向に貫通する視認孔４７が形成された側柵本体４５Ａと、側柵本体の厚さ方向中途部に視認孔の周辺部を囲む大きさに形成された挿入溝４８と、挿入溝に周辺部を係合させて挿入され視認孔を閉塞する透明パネル４９を具備する。【選択図】      図３
2010099321.tif 000002
【特許請求の範囲】
【請求項１】
ベッド本体の側部に長手方向に沿って側柵が設けられるベッド装置であって、
上記側柵は、
厚さ方向に貫通する視認孔が形成された側柵本体と、
この側柵本体の厚さ方向中途部に上記視認孔の周辺部を囲む大きさに形成された挿入溝と、
この挿入溝に周辺部を係合させて挿入され上記視認孔を閉塞する透明パネルと
を具備したことを特徴とするベッド装置。
【請求項２】
上記側柵本体は、２枚の板材を貼り合わせて形成されていて、一方の板材の内面に上記挿入溝が形成されていることを特徴とする請求項１記載のベッド装置。
【請求項３】
上記挿入溝は上記側柵本体の幅方向の一端面に開口して形成されていることを特徴とする請求項１記載のベッド装置。
【請求項４】
上記側柵の上記視認孔よりも上方の部分には幅方向に沿って手掛け孔が開口形成されていることを特徴とする請求項１記載のベッド装置。
【請求項５】
ベッド本体と、
このベッド本体の長手方向の少なくとも一端部にほぼ垂直に設けられるボード体と、
このボード体の幅方向の両端部の高さ方向下端側或いは上端側の一方に幅方向外方に突出して形成された第１の突出部及び他方に幅方向内方に凹んで形成された第１の凹部と、
上記ベッド本体の側部に長手方向に沿って設けられる側柵と、
この側柵の上記ボード体側に位置する端部の高さ方向下端側或いは上端側の上記第１の突出部と逆側となる一方に長手方向内方に凹んで形成された上記第１の突出部に係合する第２の凹部及び他方に長手方向外方に突出して形成された上記第１の凹部に係合する第２の突出部を具備し、
上記側柵は請求項１に記載された構成であることを特徴とするベッド装置。
【発明の詳細な説明】
【技術分野】
【０００１】
この発明はベッド本体の側部に側柵が設けられるベッド装置に関する。
【背景技術】
【０００２】
たとえば、介護用などのベッド装置においては、仰臥した利用者や利用者に掛けられた寝具などが落下するのを防止するため、ベッド装置の側部に側柵を設けることができるようにしている。
【０００３】
通常、上記側柵は、上記ベッド装置のベッド本体を構成する、上面にマットレスが載置される載置フレームの側部材に取り付け孔を形成し、その取付け孔に上記側柵の下端部に設けられた脚部材を着脱可能に差し込んで取り付けられている。そして、上記側柵が不要な場合には載置フレームから取り外すことができるようにしている。
【０００４】
載置フレームの側部に側柵を設けた場合、側柵を介して載置フレーム上に仰臥した利用者を確実に看護することができるようにするためには、利用者の状態を側柵を介して視認できるようにすることが好ましい。
【０００５】
そこで、従来は特許文献１に示されるように上記側柵をパイプ材によって枠状体を形成し、この枠状体の内部に複数の縦杆を幅方向に所定間隔で設けるとともに、上記枠状体の下端に脚部材を突設し、この脚部材を上記載置フレームの側部に設けられた取付け部に挿入支持するようにしていた。
【特許文献１】特開２０００−１４００３８号公報
【発明の開示】
【発明が解決しようとする課題】
【０００６】
側柵をパイプ材からなる枠状体と縦杆とによって形成すれば、その側柵を介して載置フレーム上に仰臥した利用者を視認することができるから、利用者を確実に看護することができるという利点がある。
【０００７】
しかしながら、上記構成の側柵によると、枠状体内の縦杆の間に隙間があるから、その隙間に利用者が身体の手足などを挟んでしまうということがあり、好ましくない。
【０００８】
この発明は、ベッド本体に側柵を設けた場合、側柵によってベッド本体上の利用者に対する視認性を損なうことなく、しかも利用者が身体の一部を側柵に挟むことがないようにしたベッド装置を提供することにある。
【課題を解決するための手段】
【０００９】
この発明は、ベッド本体の側部に長手方向に沿って側柵が設けられるベッド装置であって、
上記側柵は、
厚さ方向に貫通する視認孔が形成された側柵本体と、
この側柵本体の厚さ方向中途部に上記視認孔の周辺部を囲む大きさに形成された挿入溝と、
この挿入溝に周辺部を係合させて挿入され上記視認孔を閉塞する透明パネルと
を具備したことを特徴とするベッド装置。
【００１０】
上記側柵本体は、２枚の板材を貼り合わせて形成されていて、一方の板材の内面に上記挿入溝が形成されていることが好ましい。
【００１１】
上記挿入溝は上記側柵本体の幅方向の一端面に開口して形成されていることを特徴とする請求項１記載のベッド装置。
【００１２】
上記側柵の上記視認孔よりも上方の部分には幅方向に沿って手掛け孔が開口形成されていることが好ましい。
【００１３】
この発明は、ベッド本体と、
このベッド本体の長手方向の少なくとも一端部にほぼ垂直に設けられるボード体と、
このボード体の幅方向の両端部の高さ方向下端側或いは上端側の一方に幅方向外方に突出して形成された第１の突出部及び他方に幅方向内方に凹んで形成された第１の凹部と、
上記ベッド本体の側部に長手方向に沿って設けられる側柵と、
この側柵の上記ボード体側に位置する端部の高さ方向下端側或いは上端側の上記第１の突出部と逆側となる一方に長手方向内方に凹んで形成された上記第１の突出部に係合する第２の凹部及び他方に長手方向外方に突出して形成された上記第１の凹部に係合する第２の突出部を具備し、
上記側柵は請求項１に記載された構成であることを特徴とするベッド装置にある。
【発明の効果】
【００１４】
この発明によれば、側柵に視認孔を形成し、その視認孔を透明パネルで閉塞するため、側柵によってベッド本体上の利用者が視認できなくなることがなく、しかも視認孔が透明パネルによって閉塞荒れているから、その視認孔に利用者が身体の一部を挟むようなこともない。
【発明を実施するための最良の形態】
【００１５】
以下、この発明の実施の形態を図面を参照しながら説明する。  
図１は病院などで用いられるベッド装置の側面図であって、このベッド装置はベースフレーム１を有する。このベースフレーム１は矩形枠状に形成されていて、その四隅部にはストッパ付のキャスタ２（２つのみ図示）が設けられている。それによって、ベースフレーム１は移動可能となっている。
【００１６】
上記ベースフレーム１には上下駆動機構４によってベッド本体としての載置フレーム５が上下動可能、つまり高さ調整可能に設けられている。上記上下駆動機構４は駆動源６を有する。
【００１７】
上記ベースフレーム１の四隅部には支柱７が立設され、各支柱７の上端には連動アーム８（４つのうちの２つを図示）の一端が枢着されている。各連動アーム８の他端は上記載置フレーム５の長手方向両端部の両側に垂設されたブラケット９にそれぞれ枢着されている。載置フレーム５の長手方向の両端部に設けられた左右一対の連動アーム８は図示しない連結杆によって連結されている。
【００１８】
上記駆動源６は上記連動アーム８を図示しない動力伝達機構を介して揺動駆動する。それによって、上記載置フレーム５が上下方向に駆動されるようになっている。この載置フレーム５の長手方向一端にはボード体としてのヘッドボード１１、他端には同じくボード体としてのフットボード１２がほぼ垂直に設けられている。
【００１９】
上記ヘッドボード１１は図２（ａ）〜（ｃ）に示すように矩形状の板材からなる本体部１３よって形成されていて、その本体部１３の幅方向の両端部の高さ方向の上端側には幅寸法を他の部分よりも小さくした第１の凹部４１が形成され、下端側には第１の凹部４１よりも幅寸法が大きい第１の突出部４２が形成されている。
【００２０】
上記第１の突出部４２の内面には上下方向に沿って第１の受け溝４３が上記第１の突出部４２の上端に開放して形成されている。なお、第１の受け溝４３は上記第１の突出部４２の上下両端に開放して形成してもよい。
【００２１】
一方、ベッド装置の載置フレーム５には上記ヘッドボード１１Ｂ側に１枚の側柵２５が設けられている。この側柵２５は図３〜図６に示すように矩形状の２枚の板材４５を接着剤によって貼り合わせ、かつ図３（ｂ）に示すように複数の連結ピン４４で連結して形成された側柵本体４５Ａを有する。
【００２２】
なお、図３（ａ）では連結ピン４４を実線で示しているが、連結ピン４４は図３（ｂ）に示すように一対の板材４５間に設けられるから、両端が板材４５の外面に露出しないようになっている。
【００２３】
上記側柵２５の上部には幅方向に沿って手掛け孔４６が開口形成され、この手掛け孔４６の下方には複数の視認孔４７が開口形成されている。側柵２５に手掛け孔４６を形成することで、この側柵２５の上部には利用者が立ち上がるときなどの把持することができる棒状の把持部４６ａが幅方向に沿って形成されている。
【００２４】
２枚の板材４５を貼り合わせて側柵本体４５Ａを形成するとき、一方の板材４５の内面には図３（ａ）に破線で示すように複数の視認孔４７の周辺部を囲む大きさであって、側柵２５の幅方向一端面に開放する挿入溝４８が形成されている。
【００２５】
上記挿入溝４８にはアクリル樹脂などの透明パネル４９が挿入されている。この透明パネル４９は上記側柵２５の視認孔４７を隔別した部分及び上記挿入溝４８の開放端側の端部に対応する部分に厚さ方向に貫通して設けられた複数の抜け止めねじ５１によって抜出不能に固定されている。側柵２５の抜け止めねじ５１が設けられた部分を図３（ｃ）に拡大して示す。
【００２６】
なお、上記挿入溝４８は上記側柵２５の幅方向一端面に開放させたが、上記側柵２５の下端面、上端面或いは両側面に開放させてもよい。
【００２７】
上記挿入溝４８に透明パネル４９を設けることで、上記視認孔４７は視認性を損なうことなく閉塞される。それによって、ベッド装置の床板体２１上に図示しないマットレスを介して仰臥した利用者の状態を外部から側柵２５の視認孔４７を介して確認することができ、しかも利用者が手足などを視認孔４７に差し込むのを防止することができるようになっている。
【００２８】
上記側柵２５の２枚の板材４５を接着剤によって貼り合せるとき、その接着剤が一方の板材４５に形成された挿入溝４８に流れ込んで凝固する虞があるから、２枚の板材４５を貼り合せた後、上記挿入溝４８に透明パネル４９を差し込むことができなくなる虞がある。
【００２９】
そこで、２枚の板材４５を接着剤によって貼り合せるとき、ダミーのパネルを予め挿入溝４８に挿入しておく。それによって、２枚の板材４５を貼り合わせたときに接着剤が挿入溝４８に流れ込むのを防止できるから、２枚の板材４５を貼り合わせた後、ダミーのパネルを抜けば、その挿入溝４８に透明パネル４９を確実に挿入することができる。
【００３０】
なお、側柵２５は２枚の板材４５を貼り合わせた後、研磨や塗装などの加工が施されるから、それらの加工後に新しい透明パネル４９を挿入溝４８に挿入するようにすることが望ましい。
【００３１】
図３（ａ）に示すように、上記側柵２５の下端面には一対の脚部材２９ａが突出している。一対の脚部材２９ａはパイプ材からなる連結杆５２の両端部に一端を連結して設けられている。この連結杆５２と一対の脚部材２９ａの一端部は、一対の板材４５を貼り合せるとき、これら板材４５の内面にそれぞれ形成された凹溝５３に予め保持される。
【００３２】
そして、このようにして形成された上記側柵２５は、その脚部材２９ａを載置フレーム５の側面に設けられた一対の支持部材２３に挿入してヘッドボード１１側に取付けられている。
【００３３】
図３（ａ）に示すように、上記側柵２５のヘッドボード１１側の端部の上下方向の下端側には他の部分よりも凹んだ第２の凹部５４が形成され、この第２の凹部５４の上部には前方に突出した第２の突出５５が形成されている。図４（ａ），（ｂ）に示すように、この第２の突出部５５の両側面には上下方向全長にわたって断面形状が円弧状の第２の受け溝５６が形成されている。
【００３４】
上記側柵２５の一対の脚部材２９ａを、ヘッドボード１１側に位置する一対の支持部材２３に差し込むと、その第２の凹部５４が上記ヘッドボード１１の第１の突出部４２に係合し、第２の突出部５５が上記ヘッドボード１１の第１の凹部４１に係合する。
【００３５】
それによって、ヘッドボード１１の幅方向の一端部と、側柵２５の先端部の間に隙間が生じるのが防止される。
【００３６】
しかも、ヘッドボード１１の第１の凹部４１の先端部は側柵２５の第２の突出部５５の内面側に形成された第２の受け溝５６に入り込み、側柵２５の第２の凹部５４の先端部はヘッドボード１１の第１の突出部４２に形成された第１の受け溝４３に入り込む。
【００３７】
それによって、ヘッドボード１１の幅方向の一端部と、側柵２５の先端部の間にさらに隙間が生じ難くなるばかりか、これらの係合状態が確実になる。
【００３８】
すなわち、上記構成のヘッドボード１１及び側柵２５によれば、ヘッドボード１１の幅方向の端部と側柵２５Ａの端部との間の隙間をなくすることができるから、利用者が手足などの身体をヘッドボート１１と側柵２５との間に挟むのを防止することができる。
【００３９】
上記側柵２５の第２の突出部５５にはその両側面に第２の受け溝５６を形成した。そのため、側柵２５を載置フレーム５の幅方向一端側或いは他端側のいずれに取付ける場合であっても、その第２の受け溝５６にヘッドボード１１の第１の凹部４１の先端部を入り込ませることができる。つまり、側柵２５の使い勝手を向上させることができる。
【００４０】
上記側柵２６は視認孔４７を形成し、この視認孔４７を側柵本体４５Ａの一対の板材４５巻の挿入溝４８に挿入された透明パネル４９によって閉塞した。そのため、視認孔４７を介して載置フレーム５の床板体２１上に仰臥した利用者を側柵２６の外方から確実に視認することができるばかりか、視認孔４７が透明パネル４９によって閉塞されているため、利用者が視認孔４７に手足などを挟むということもない。
【００４１】
上記第３の実施の形態においては１枚の側柵２５Ａを載置フレーム５のヘッドボード１１側に設ける場合について説明したが、側柵２５をヘッドボード１１側とフットボード１２側の両方或いはフットボード１２側だけに設ける場合には、フットボード１２を上述したヘッドボード１１と同じ構成、つまり幅方向の両端部に第１の凹部４１と第１の突出部４２を有する形状とすればよい。  
また、載置フレーム５の一側だけでなく、両側にそれぞれ側柵２５を設けるようにしてもよい。
【図面の簡単な説明】
【００４２】
【図１】この発明の一実施の形態を示すベッド装置の側面図。
【図２】図２（ａ）〜（ｃ）上記ベッド装置に用いられるヘッドボードの三面図。
【図３】（ａ）は側柵の側面図、（ｂ）は側柵の２枚の板材が連結ピンによって連結された部分の断面図、（ｃ）は側柵の２枚の板材間の挿入溝に挿入された透明パネルが抜け止めねじよって止められた部分の断面図。
【図４】（ａ）は側柵の平面図、（ｂ）は同じく横断面図。
【図５】（ａ）は側柵の挿入溝が開放した端面を示す図、（ｂ）は同じく縦断面図。
【図６】板材に形成された挿入溝の拡大図。
【符号の説明】
【００４３】
５…載置フレーム（ベッド本体）、１１…ヘッドボード（ボード体）、１２…フットボード（ボード体）、１５…受け溝、２５，…側柵、４１…第１の凹部、４２…第１の突出部、４３…第１の受け溝、４５…板材、４５Ａ…側柵本体、４７…視認孔、４８…挿入溝、４９…透明パネル、５４…第２の凹部、５５…第２の突出部、５６…第２の受け溝。
【図１】
2010099321.tif 000003
【図２】
2010099321.tif 000004
【図３】
2010099321.tif 000005
【図４】
2010099321.tif 000006
【図５】
2010099321.tif 000007
【図６】
2010099321.tif 000008